(57)【要約】      （修正有）【課題】並列運転することが可能で且つ比較的安価な太陽光発電システムを提供する。【解決手段】太陽光発電システム１は、蓄電池３１、３２、３３を有した蓄電装置３、太陽電池４１、４２、４３を有した太陽光発電装置４、太陽電池５１を有した太陽光発電装置５、パワーコンディショナー６、切替盤８、及び、トランス９を備えている。切替盤８は、電磁接触器を切り替え、蓄電池３１、３２、３３のいずれか１つと下流の負荷設備１０とを接続する。【選択図】図１
2016082676.tif 000002
【特許請求の範囲】
【請求項１】
系統と上流側において接続され、下流側の負荷設備に給電可能な第１の蓄電池と、
系統と上流側において接続されているとともに前記第１の蓄電池と並列接続されており、下流側の負荷設備に給電可能な第２の蓄電池と、
前記第１の蓄電池に接続されている第１の太陽光発電装置と、
前記第２の蓄電池に接続されている第２の太陽光発電装置と、
前記第１の蓄電池と前記負荷設備との間に設けられ、前記第１の蓄電池と前記負荷設備との接続又は遮断が可能な第１の接触器と、
前記第２の蓄電池と前記負荷設備との間に設けられ、前記第２の蓄電池と前記負荷設備との接続又は遮断が可能な第２の接触器と、
前記第１の接触器と前記第２の接触器との切替を行うことが可能な切替盤と、
を備えていることを特徴とする太陽光発電システム。
【請求項２】
前記切替盤が、前記第１の蓄電池に対応する第１の切替部と、前記第２の蓄電池に対応する第２の切替部と、を備えており、
前記第１の切替部が、通電からＯＮ状態になるまで所定時間を必要とする第１の限時継電器を有し、
前記第２の切替部が、通電からＯＮ状態になるまで前記第１の限時継電器と異なる所定時間を必要とする第２の限時継電器を有していることを特徴とする請求項１に記載の太陽光発電システム。
【請求項３】
前記第１の切替部に設けられ、前記第１の限時継電器のＯＮ状態に伴って動作する第１の瞬時動作限時復帰接点と、
前記第２の切替部に設けられ、前記第２の限時継電器のＯＮ状態に伴って動作する第２の瞬時動作限時復帰接点と、
前記第１の切替部に設けられ、前記第１の瞬時動作限時復帰接点の動作後の通電に伴って、前記第１の接触器を閉じる指令を前記第１の接触器に出力し、前記第１の蓄電池と前記負荷設備とを通電させることが可能な第１の継電器と、
前記第２の切替部に設けられ、前記第２の瞬時動作限時復帰接点の動作後の通電に伴って、前記第２の接触器を閉じる指令を前記第２の接触器に出力し、前記第２の蓄電池と前記負荷設備とを通電させることが可能な第１の継電器と、
前記第２の切替部に設けられ、前記第２の限時継電器に直列接続され、前記第１の継電器のＯＮ状態に連動して前記第２の限時継電器への電力供給を遮断可能な第１の開閉器と、
前記第１の切替部に設けられ、前記第１の限時継電器に直列接続され、前記第２の継電器のＯＮ状態に連動して前記第１の限時継電器への電力供給を遮断可能な第２の開閉器と、
を備えていることを特徴とする請求項２に記載の太陽光発電システム。
【発明の詳細な説明】
【技術分野】
【０００１】
本発明は、太陽電池及び蓄電池を備えた太陽光発電システムに関するものである。
【背景技術】
【０００２】
近年、太陽電池と蓄電池とを有した太陽光発電システムが次々と開発されている（例えば、下記特許文献１参照）。なお、複数の蓄電池を並列運転すると、太陽光発電システムを効率よく運転することが可能である。
【先行技術文献】
【特許文献】
【０００３】
【特許文献１】特開２００１−１７２０９７号公報
【発明の概要】
【発明が解決しようとする課題】
【０００４】
しかしながら、複数の通常の蓄電池を並列運転する場合、各蓄電池の電圧の周波数及び位相を一致させる必要がある。そのため、蓄電池の電圧と位相とを調整する位相調整器と、蓄電池の電圧と位相とが一致するタイミングを予測するとともに、タイミングを合わせるための開閉器の投入信号を出力することが可能な同期検定・投入装置とが、通常、太陽光発電システム中に利用される。ただし、これらの位相調整器及び同期検定・投入装置を利用すると、大幅なコストアップにつながる。
【０００５】
そこで、本発明は、上記位相調整器及び同期検定・投入装置を利用しなくとも、並列運転することが可能で且つ比較的安価な太陽光発電システムを提供することを目的とするものである。
【課題を解決するための手段】
【０００６】
（１）  本発明の太陽光発電システムは、系統（例えば、商用電力系統）と上流側において接続され、下流側の負荷設備に給電可能な第１の蓄電池と、系統と上流側において接続されているとともに前記第１の蓄電池と並列接続されており、下流側の負荷設備に給電可能な第２の蓄電池と、前記第１の蓄電池に接続されている第１の太陽光発電装置と、前記第２の蓄電池に接続されている第２の太陽光発電装置と、前記第１の蓄電池と前記負荷設備との間に設けられ、前記第１の蓄電池と前記負荷設備との接続又は遮断が可能な第１の接触器と、前記第２の蓄電池と前記負荷設備との間に設けられ、前記第２の蓄電池と前記負荷設備との接続又は遮断が可能な第２の接触器と、前記第１の接触器と前記第２の接触器との切替を行うことが可能な切替盤と、を備えているものである。
【０００７】
上記（１）の構成によれば、上述したような位相調整器及び同期検定・投入装置を利用しなくとも、並列運転することが可能で且つ比較的安価な太陽光発電システムを提供できる。
【０００８】
（２）  上記（１）の太陽光発電システムにおいては、前記切替盤が、前記第１の蓄電池に対応する第１の切替部と、前記第２の蓄電池に対応する第２の切替部と、を備えており、前記第１の切替部が、通電からＯＮ状態になるまで所定時間を必要とする第１の限時継電器を有し、前記第２の切替部が、通電からＯＮ状態になるまで前記第１の限時継電器と異なる所定時間を必要とする第２の限時継電器を有していることが好ましい。
【０００９】
上記（２）の構成によれば、第１の限時継電器と第２の限時継電器との間で通電からＯＮ状態になるまでのタイミングが異なるので、蓄電池同士の同時出力を防止することができる。
【００１０】
（３）  上記（２）の太陽光発電システムにおいては、前記第１の切替部に設けられ、前記第１の限時継電器のＯＮ状態に伴って動作する第１の瞬時動作限時復帰接点と、前記第２の切替部に設けられ、前記第２の限時継電器のＯＮ状態に伴って動作する第２の瞬時動作限時復帰接点と、前記第１の切替部に設けられ、前記第１の瞬時動作限時復帰接点の動作後の通電に伴って、前記第１の接触器を閉じる指令を前記第１の接触器に出力し、前記第１の蓄電池と前記負荷設備とを通電させることが可能な第１の継電器と、前記第２の切替部に設けられ、前記第２の瞬時動作限時復帰接点の動作後の通電に伴って、前記第２の接触器を閉じる指令を前記第２の接触器に出力し、前記第２の蓄電池と前記負荷設備とを通電させることが可能な第１の継電器と、前記第２の切替部に設けられ、前記第２の限時継電器に直列接続され、前記第１の継電器のＯＮ状態に連動して前記第２の限時継電器への電力供給を遮断可能な第１の開閉器と、前記第１の切替部に設けられ、前記第１の限時継電器に直列接続され、前記第２の継電器のＯＮ状態に連動して前記第１の限時継電器への電力供給を遮断可能な第２の開閉器と、を備えている。
【００１１】
上記（３）の構成によれば、第１の継電器と第２の継電器のうち、先に動作した継電器を優先するインターロック機能を発揮することができる。これにより、さらに蓄電池同士の同時出力を防止することができる。
【図面の簡単な説明】
【００１２】
【図１】本発明の実施形態に係る太陽光発電システムの概略構成図である。
【図２】図１の太陽光発電システムの主要部の三線結線図である。
【図３】図２の太陽光発電システムの結線図の展開接続図である。
【発明を実施するための形態】
【００１３】
図１は、本発明の実施形態に係る太陽光発電システムの概略構成図である。太陽光発電システム１は、蓄電装置３、太陽光発電装置４、太陽光発電装置５、パワーコンディショナー６、切替盤８、及び、トランス９を備え、受電設備２を介して商用電力系統１００と接続されている。
【００１４】
受電設備２は、電力会社からの電力供給用の系統である商用電力系統１００の高電圧配電線に接続されており、図示しないが、断路器、遮断器、変圧器、測定機器、コンデンサ、および保護継電器等を備えている。また、受電設備２は、図１に示したように、蓄電装置３と一般設備７に配線を介して接続されている。また、図２に示したように、受電設備２の配線下流側には、電力の通電・遮断の切り替えが可能な遮断器１１０と、商用電力系統１００との接続確認が可能な表示灯２０１と、が設けられている。
【００１５】
蓄電装置３は、図１に示したように、蓄電池３１〜３３を備え、一般設備７、並びに、切替盤８及びトランス９を介して負荷設備１０に電力を供給できるようになっている。具体的には、図２に示したように、蓄電池３１は、配線上の遮断器１１１を介して受電設備２と接続されている。また、蓄電池３２は、配線上の遮断器１１２を介して受電設備２と接続され、蓄電池３３は、配線上の遮断器１１３を介して受電設備２と接続されている。なお、蓄電池３１〜３３の例としては、リチウムイオン蓄電池、鉛蓄電池等が挙げられる。
【００１６】
太陽光発電装置４は、図１に示したように、蓄電装置３に発電した電力を供給可能な太陽電池４１〜４３を備えているものである。具体的には、図２に示したように、太陽電池４１は蓄電池３１に接続されている。また、太陽電池４２は蓄電池３２に接続され、太陽電池４３は蓄電池３３に接続されている。なお、太陽電池４１〜３３は、多数の発電セルを有しているものであり、単結晶シリコン型、多結晶シリコン型、非晶質シリコン型、および化合物型（例えば、銅、インジウム、セレン、およびガリウム）等、種々のものを用いることができる。
【００１７】
太陽光発電装置５は、一般設備７にパワーコンディショナー６を介して接続されており、一般設備７で用いる電力を発電するための太陽電池５１を備えている。また、太陽光発電装置５は、太陽光発電装置４と分離されており、独自に一般設備７に発電した電力を供給できるようになっている。
【００１８】
パワーコンディショナー６は、太陽光発電装置５に接続される接続箱、インバータ等を有しており、遮断器（図示せず）を介して一般設備７に接続されている。なお、パワーコンディショナー６の制御用電源は太陽光発電装置５および商用電力系統１００である。
【００１９】
一般設備７は、工場内における機械等、比較的大きな電力が必要な施設のことである。
【００２０】
切替盤８は、図２の点線で囲った部分に示したように、蓄電池３１、蓄電池３２、蓄電池３３のそれぞれと接続されている配線８１、８２、８３を有している。配線８１上には、上流側から順に、遮断器１１４と電磁接触器（電磁開閉器）１２１（略記号：ＭＳ１）とが設けられ、遮断器１１４と電磁接触器１２１との間において、蓄電池３１から電力供給がなされているかどうかを判断するための表示灯２０２と、切替部１８１（図３参照）とが接続されている。また、配線８１上には、電磁接触器１２１の下流において配線８２、８３が接続されており、さらに配線８２、８３との接続部の下流において、蓄電池３１〜３３のいずれか１つから電力供給がなされているかどうかを判断するための表示灯２０５が接続されている。また、配線８１と同様に、配線８２上には、上流側から順に、遮断器１１５と電磁接触器（電磁開閉器）１２２（略記号：ＭＳ２）とが設けられ、遮断器１１５と電磁接触器１２２との間において、蓄電池３２から電力供給がなされているかどうかを判断するための表示灯２０３と、切替部１８２（図３参照）とが接続されている。さらに、同様に、配線８３上には、上流側から順に、遮断器１１６と電磁接触器（電磁開閉器）１２３とが設けられ、遮断器１１６と電磁接触器１２３との間において、蓄電池３３から電力供給がなされているかどうかを判断するための表示灯２０４と、切替部１８３（図３参照）とが接続されている。
【００２１】
切替部１８１は、図３に示したように、配線Ｔ１−Ｓ１間において、電磁接触器（電磁開閉器）１２４、１２５と、限時継電器（タイマー：ＴＭ１）１２６と、瞬時動作限時復帰接点（オフディレイ）１２７と、ＭＳ１用継電器（リレー）１２８と、表示灯１２９と、を備えている。電磁接触器１２４は、後述するＭＳ２用継電器（リレー）１３４がＯＮ状態になった場合に連動して開き（通電停止）、ＭＳ２用継電器１３４がＯＦＦ状態になった場合には連動して閉じる（通電する）ものである。電磁接触器１２５は、後述するＭＳ３用継電器（リレー）１４０がＯＮ状態になった場合に連動して開き（通電停止）、ＭＳ３用継電器１４０がＯＦＦ状態になった場合には連動して閉じる（通電する）ものである。限時継電器１２６は、瞬時動作限時復帰接点１２７を動作させるためのタイマーであり、限時継電器１２６がＯＮ状態になった場合、一定時間経過後、瞬時動作限時復帰接点１２７は閉じて通電状態になる。限時継電器１２６がＯＦＦ状態になった場合には、瞬時動作限時復帰接点１２７は瞬時に開状態になり、ＭＳ１用継電器１２８への通電を停止させるようになっている。ＭＳ１用継電器１２８は、ＯＮ状態になった（通電した）場合に電磁接触器１２１を閉じてＯＮ状態にし、ＯＦＦ状態になった（通電停止した）場合に電磁接触器１２１を開いてＯＦＦ状態にする制御を行うものである。なお、ＭＳ１用継電器１２８は限時継電器１２６に並列接続され、表示灯１２９はＭＳ１用継電器１２８に並列接続されている。
【００２２】
切替部１８２は、図３に示したように、配線Ｔ２−Ｓ２間において、電磁接触器（電磁開閉器）１３０、１３１と、限時継電器（タイマー：ＴＭ２）１３２と、瞬時動作限時復帰接点（オフディレイ）１３３と、ＭＳ２用継電器（リレー）１３４と、表示灯１３５と、を備えている。電磁接触器１３０は、後述するＭＳ３用継電器（リレー）１４０がＯＮ状態になった場合に連動して開き（通電停止）、ＭＳ３用継電器１４０がＯＦＦ状態になった場合には連動して閉じる（通電する）ものである。電磁接触器１３１は、上述のＭＳ１用継電器１２８がＯＮ状態になった場合に連動して開き（通電停止）、ＭＳ１用継電器１２８がＯＦＦ状態になった場合には連動して閉じる（通電する）ものである。限時継電器１３２は、瞬時動作限時復帰接点１３３を動作させるためのタイマーであり、限時継電器１３２がＯＮ状態になった場合、一定時間経過後、瞬時動作限時復帰接点１３３は閉じて通電状態になる。限時継電器１３２がＯＦＦ状態になった場合には、瞬時動作限時復帰接点１３３は瞬時に開状態になり、ＭＳ２用継電器１３４への通電を停止させるようになっている。ＭＳ２用継電器１３４は、ＯＮ状態になった（通電した）場合に電磁接触器１２２を閉じてＯＮ状態にし、ＯＦＦ状態になった（通電停止した）場合に電磁接触器１２２を開いてＯＦＦ状態にする制御を行うものである。なお、ＭＳ２用継電器１３４は限時継電器１３２に並列接続され、表示灯１３５はＭＳ３用継電器１４０に並列接続されている。
【００２３】
切替部１８３は、配線Ｔ３−Ｓ３間において、電磁接触器（電磁開閉器）１３６、１３７と、限時継電器（タイマー：ＴＭ３）１３８と、瞬時動作限時復帰接点（オフディレイ）１３９と、ＭＳ３用継電器（リレー）１４０と、表示灯１４１と、を備えている。電磁接触器１３６は、上述のＭＳ１用継電器１２８がＯＮ状態になった場合に連動して開き（通電停止）、ＭＳ１用継電器１２８がＯＦＦ状態になった場合には連動して閉じる（通電する）ものである。電磁接触器１３７は、上述のＭＳ２用継電器１３４がＯＮ状態になった場合に連動して開き（通電停止）、ＭＳ２用継電器１３４がＯＦＦ状態になった場合には連動して閉じる（通電する）ものである。限時継電器１３８は、瞬時動作限時復帰接点１３９を動作させるためのタイマーであり、限時継電器１３８がＯＮ状態になった場合、一定時間経過後、瞬時動作限時復帰接点１３９は閉じて通電状態になる。限時継電器１３８がＯＦＦ状態になった場合には、瞬時動作限時復帰接点１３９は瞬時に開状態になり、ＭＳ３用継電器１４０への通電を停止させるようになっている。ＭＳ３用継電器１４０は、ＯＮ状態になった（通電した）場合に電磁接触器１２３を閉じてＯＮ状態にし、ＯＦＦ状態になった（通電停止した）場合に電磁接触器１２３を開いてＯＦＦ状態にする制御を行うものである。なお、ＭＳ３用継電器１４０は限時継電器１３８に並列接続され、表示灯１４１はＭＳ３用継電器１４０に並列接続されている。
【００２４】
トランス９は、図１及び図２に示したように、配線８１の下流において接続されており、負荷設備１０へ送電する電力の電圧を適切なものに変圧する変圧器である。
【００２５】
負荷設備１０は、例えば、工場・営業所・研究所・病院など、停電時でも電力維持が所定時間必要な施設のことである。
【００２６】
以上説明した構成の太陽光発電システム１の動作について説明する。
＜平常時＞
商用電力系統１００による送電が停止していない平常時には、太陽光発電システム１は、商用電力系統１００と連系しており、商用電力系統１００を電源として、システムの各部が動作することにより、システム全体が稼働している。このとき、全ての遮断器はいずれも閉じていて（ＯＮ状態）、（１）受電設備２から、太陽光発電装置５と接続されている蓄電装置３、切替盤８、トランス９を経て負荷設備１０まで、（２）受電設備２から一般設備７まで、（３）太陽光発電装置５から、パワーコンディショナー６を経て一般設備７まで、電気的に繋がっている。なお、各装置等の需要電力、及び、太陽光発電装置４、５による発電電力に基づいて、商用電力系統１００が電力の需給調整を行う。
【００２７】
また、平常時、買電電力のピークカット及びピークシフトを行うため、蓄電装置３における蓄電池３１〜３３のいずれか１つから放電することにより一般設備７および負荷設備１０への給電を行う。なお、平常時において、ピークカット及びピークシフトを行わない場合は、蓄電装置３から一般設備７および負荷設備１０への給電は行わなくても良い。
【００２８】
ここで、平常時の蓄電装置３における蓄電池３１〜３３及び切替盤８における切替部１８１〜１８３の利用方法について、例を用いて説明する。なお、蓄電池３１〜３３の残量は、需要電力ピーク時に蓄電池３１〜３３から放電する電力及び蓄電池３１〜３３の自己消費（蓄電池容量に依存）によって次第に低下するので、その分を補充するために、制御装置（図示せず）の指令に基づいて蓄電池３１〜３３は商用電力系統１００から充電しておく。この補充電は、電気料金の安い夜間に行うことが好ましい。また、蓄電装置３における蓄電池３１〜３３においては、過充電の防止策が施されている。例えば、定格蓄電容量に対する残蓄電量の比率を示すＳＯＣ（State Of Charge）の値が９０％以上になると、充電停止措置を取るように制御装置（図示せず）に指令を出させるようにしておく。また、ここでの限時継電器１２６、１３２、１３８のタイマー設定は、それぞれ５秒、１０秒、１５秒と必要経過時間（出力タイミング）が異なるように設定してあるが、安全性を考慮して出力タイミングを変えていれば、どのような設定であっても良い。また、初期状態において、電磁接触器１２１、１２２、１２３は開いている（ＯＦＦ状態である）とともに、電磁接触器１２４、１２５、１３０、１３１、１３６、１３７は閉じている（ＯＮ状態である）ものとする。
【００２９】
（平常時の例１）
まず、十分に充電され、太陽電池４１〜４３及び商用電力系統１００からの電源供給が停止している状態の蓄電池３１、３２、３３から、切替部１８１、１８２、１８３のＴ１−Ｓ１間、Ｔ２−Ｓ２間、Ｔ３−Ｓ３間それぞれに電力を供給すると、限時継電器１２６、１３２、１３８に電力が供給され、作動する。該電力供給があってから５秒経過後に限時継電器１２６がＯＮ状態となり、瞬時動作限時復帰接点１２７が瞬時に作動しＭＳ１用継電器１２８及び表示灯１２９に通電させる。このとき、ＭＳ１用継電器１２８の通電により、電磁接触器１２１が閉じられる（ＯＮ状態となる）とともに、切替部１８２、１８３における電磁接触器１３１、１３６が開放されＯＦＦ状態となる。また、電磁接触器１３１、１３６がＯＦＦ状態となっているので、蓄電池３２、３３から限時継電器１３２、１３８への電力供給は遮断され動作を停止するので、電磁接触器１２２、１２３はＯＦＦ状態となる。したがって、蓄電池３１からの電力がトランス９に供給され、続いて負荷設備１０へと供給されるが、蓄電池３２、３３からトランス９及び負荷設備１０へ電力供給されることはない。
【００３０】
その後、蓄電池３１の放電が完了し、電池残量がなくなると、切替部１８１には電力供給されなくなり、瞬時動作限時復帰接点１２７が復帰して開放される（ＯＦＦ状態となる）ので、ＭＳ１用継電器１２８及び表示灯１２９への電力供給はされなくなる。このとき、ＭＳ１用継電器１２８は動作しなくなるので、電磁接触器１２１が開放される（ＯＦＦ状態となる）とともに、電磁接触器１３１、１３６が閉じられＯＮ状態となる。これにより、蓄電池３２、３３から限時継電器１３２、１３８に電力が供給され、作動する。該電力供給があってから１０秒経過後に限時継電器１３２がＯＮ状態となり、瞬時動作限時復帰接点１３３が瞬時に作動しＭＳ２用継電器１３４及び表示灯１３５に通電させる。このとき、ＭＳ２用継電器１３４の通電により、電磁接触器１２２が閉じられる（ＯＮ状態となる）とともに、切替部１８１、１８３における電磁接触器１２４、１３７が開放されＯＦＦ状態となる。また、電磁接触器１２４、１３７がＯＦＦ状態となっているので、蓄電池３１、３３から限時継電器１２６、１３８への電力供給は遮断され動作を停止するので、電磁接触器１２１、１２３はＯＦＦ状態となる。したがって、蓄電池３２からの電力がトランス９に供給され、続いて負荷設備１０へと供給されるが、蓄電池３１、３３からトランス９及び負荷設備１０へ電力供給されることはない。
【００３１】
さらに、その後、蓄電池３２の放電が完了し、電池残量がなくなると、切替部１８２には電力供給されなくなり、瞬時動作限時復帰接点１３３が復帰して開放される（ＯＦＦ状態となる）ので、ＭＳ２用継電器１３４及び表示灯１３５への電力供給はされなくなる。このとき、ＭＳ２用継電器１３４は動作しなくなるので、電磁接触器１２２が開放される（ＯＦＦ状態となる）とともに、電磁接触器１２４、１３７が閉じられＯＮ状態となる。これにより、蓄電池３１、３３から限時継電器１２６、１３８に電力が供給され、作動する（蓄電池３１の電池残量が完全にない場合、限時継電器１２６は作動しない。）。該電力供給があってから１５秒経過後に限時継電器１３８がＯＮ状態となり、瞬時動作限時復帰接点１３９が瞬時に作動しＭＳ３用継電器１４０及び表示灯１４１に通電させる。このとき、ＭＳ３用継電器１４０の通電により、電磁接触器１２３が閉じられる（ＯＮ状態となる）とともに、切替部１８１、１８２における電磁接触器１２５、１３０が開放されＯＦＦ状態となる。また、電磁接触器１２５、１３０がＯＦＦ状態となっているので、蓄電池３１、３２から限時継電器１２６、１３２への電力供給は遮断され動作を停止するので、電磁接触器１２１、１２２はＯＦＦ状態となる。したがって、蓄電池３３からの電力がトランス９に供給され、続いて負荷設備１０へと供給されるが、電池残量があったとしても、蓄電池３１、３２からトランス９及び負荷設備１０へ電力供給されることはない。その後、蓄電池３３の放電が完了するまで、負荷設備１０で電力使用することができる。
【００３２】
（平常時の例２）
まず、太陽電池４１〜４３又は／及び商用電力系統１００から電源供給され充電を行いつつ放電を行う蓄電池３１、３２、３３から、切替部１８１、１８２、１８３のＴ１−Ｓ１間、Ｔ２−Ｓ２間、Ｔ３−Ｓ３間それぞれに電力を供給すると、限時継電器１２６、１３２、１３８に電力が供給され、作動する。該電力供給があってから５秒経過後に限時継電器１２６がＯＮ状態となり、瞬時動作限時復帰接点１２７が瞬時に作動しＭＳ１用継電器１２８及び表示灯１２９に通電させる。このとき、ＭＳ１用継電器１２８の通電により、電磁接触器１２１が閉じられる（ＯＮ状態となる）とともに、切替部１８２、１８３における電磁接触器１３１、１３６が開放されＯＦＦ状態となる。また、電磁接触器１３１、１３６がＯＦＦ状態となっているので、蓄電池３２、３３から限時継電器１３２、１３８への電力供給は遮断され動作を停止するので、電磁接触器１２２、１２３はＯＦＦ状態となる。したがって、蓄電池３１からの電力がトランス９に供給され、続いて負荷設備１０へと供給されるが、蓄電池３２、３３からトランス９及び負荷設備１０へ電力供給されることはない。
【００３３】
なお、蓄電池３１は、太陽電池４１〜４３又は／及び商用電力系統１００から電源供給され充電を行いつつ放電を行っているので、電力の供給を意図的に停止させない限り、トランス９及び負荷設備１０へ電力供給を行う。ここで、上述の限時継電器１２６、１３２、１３８のタイマー設定は、それぞれ５秒、１０秒、１５秒としていたが、この設定を所定期間ごとに入れ替えて、例えば、順に、１０秒、１５秒、５秒とすることで、使用頻度の高かった蓄電池（本例では蓄電池３１）を使用頻度の低い蓄電池（本例では、蓄電池３２、３３）と適宜変換できるので、各蓄電池の寿命を延ばすことが可能となる。
【００３４】
＜停電発生時＞
商用電力系統１００による送電が停止すると、制御装置（図示せず）は、安全のため、即時、遮断器１１０、１１１、１１２、１１３などを開放する指令を出して、蓄電装置３から下流の部位を商用電力系統１００から切り離し、逆送電防止の措置をとる。また、制御装置（図示せず）は、安全のため、一般設備７との間に設けられている遮断器（図示せず）を開放する指令を出して、蓄電装置３から下流の部位を一般設備７から切り離すことを行う。このような切り離し作業を行うことで、停電体制に切り替わる。
【００３５】
＜停電中（夜間）＞
十分に充電され、太陽電池４１〜４３及び商用電力系統１００からの電源供給が停止している状態の蓄電池３１、３２、３３を使用する場合は、上記「平常時の例１」と動作が同様であるので、説明を省略する。
【００３６】
＜停電中（昼間）＞
上記「平常時の例２」とほぼ同様であるが、商用電力系統１００から電源供給されない点が異なっている。その他の動作は、上記「平常時の例２」とほぼ同様であるので、説明を省略する。
【００３７】
＜復電＞
商用電力系統１００が復電した場合、蓄電装置３における蓄電池３１〜３３と直接的に接続されている遮断器以外の各遮断器を復旧させ、一般設備７への電力供給を復旧させる。そして、蓄電池３１〜３３については、電池残量を確認しつつ、手動で遮断器１１０、１１１、１１２、１１３を操作し、商用電力系統１００との接続を復旧させる。なお、商用電力系統１００の復電に合わせて、制御装置（図示せず）において、電池残量を自動検知し、遮断器１１０、１１１、１１２、１１３を自動操作し、蓄電池３１〜３３との接続を自動復旧させることとしてもよい。
【００３８】
本実施形態によれば、蓄電池の電圧と位相とを調整する位相調整器と、蓄電池の電圧と位相とが一致するタイミングを予測するとともに、タイミングを合わせるための開閉器の投入信号を出力することが可能な同期検定・投入装置などを利用しなくとも、並列運転することが可能で且つ比較的安価な太陽光発電システムを提供できる。
【００３９】
また、本実施形態によれば、限時継電器１２６、１３２、１３８において、通電からＯＮ状態になるまでのタイミングが異なるので、蓄電池３１〜３３同士の同時出力を防止することができる。
【００４０】
さらに、本実施形態によれば、ＭＳ１用継電器１２８、ＭＳ２用継電器１３４、ＭＳ３用継電器１４０のうち、先に動作した継電器を優先するインターロック機能を発揮することができる。これにより、さらに蓄電池３１〜３３同士の同時出力を防止することができる。
【００４１】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。例えば、本実施形態においては、蓄電池が３つの場合を例示したが、これに限られず、蓄電池が２つ又は４つ以上の場合でも本実施形態と同様の技術的思想で同様の効果を奏する構成を構築することが可能である。
【符号の説明】
【００４２】
１    太陽光発電システム
２    受電設備
３    蓄電装置
４、５    太陽光発電装置
６    パワーコンディショナー
７    一般設備
８    切替盤
９    トランス
３１、３２、３３    蓄電池
４１、４２、４３、５１    太陽電池
８１、８２、８３    配線
１０    負荷設備
１００    商用電力系統
１１０、１１１、１１２、１１３、１１４、１１５、１１６    遮断器
１２１、１２２、１２３、１２４、１２５、１３０、１３１、１３６、１３７    電磁接触器
１２６、１３２、１３８    限時継電器
１２７、１３３、１３９    瞬時動作限時復帰接点
１２８    ＭＳ１用継電器
１２９、１３５、１４１、２０１、２０２、２０３、２０４、２０５    表示灯
１３４    ＭＳ２用継電器
１４０    ＭＳ３用継電器
１８１、１８２、１８３    切替部
【図１】
2016082676.tif 000003
【図２】
2016082676.tif 000004
【図３】
2016082676.tif 000005